(57)【要約】【課題】建具枠を開口枠に対して確実に位置決めして取付けることのでき、コスト的にも有利な建具枠の取付け構造の提供。【解決手段】建物の壁部Ｗの開口部Ｏを形成する開口枠Ｆに取付けられる建具枠１の取付け構造であって、建具枠１は、壁部Ｗの面外方向Ｙに分割された２つの分割部材２、３を備え、それら２つの分割部材２、３は、開口枠Ｆにおける壁部Ｗの面内方向Ｘに沿う外面部に夫々接合され、かつ、分割部材２、３どうしを互いに接合することで、２つの分割部材２、３が開口枠Ｆを面外方向Ｙから挟み込む状態で取付けられる。【選択図】図１
2017160622.tif 000002
【特許請求の範囲】
【請求項１】
建物の壁部の開口部を形成する開口枠に取付けられる建具枠の取付け構造であって、
前記建具枠は、前記壁部の面外方向に分割された２つの分割部材を備え、
それら２つの分割部材は、前記開口枠における前記壁部の面内方向に沿う外面部に夫々接合され、かつ、前記分割部材どうしを互いに接合することで、前記２つの分割部材が前記開口枠を前記面外方向から挟み込む状態で取付けられる建具枠の取付け構造。
【請求項２】
前記２つの分割部材は、前記開口枠の外面部に対して夫々固定具により固定されて接合され、前記分割部材どうしも固定具により固定されて接合される請求項１に記載の建具枠の取付け構造。
【請求項３】
前記２つの分割部材は、前記面外方向に幅の広い分割部材と幅の狭い分割部材からなり、幅の広い分割部材に前記面外方向に延びる補強材が備えられ、その補強材と幅の広い分割部材との重複部分において前記２つの分割部材が固定具により固定されて接合される請求項１または２に記載の建具枠の取付け構造。
【請求項４】
前記建具枠は、前記開口枠に対する第１取付け部の端部から前記面外方向に延びる第１折り返し部と、その第１折り返し部の端部から前記面内方向に延びる第１見付け部と、その第１見付け部の端部から前記面外方向に延びる第１見込み部とを有する前記面外方向に幅の広い第１分割部材と、
前記第１見込み部に重複して前記面外方向に延びる第２見込み部と、その第２見込み部の端部から前記面内方向に延びる第２見付け部と、その第２見付け部の端部から前記面外方向に延びて、その端部に前記開口枠に対する第２取付け部を備えた第２折り返し部とを有する前記面外方向に幅の狭い第２分割部材とに分割されている請求項１〜３のいずれか１項に記載の建具枠の取付け構造。
【請求項５】
前記建具枠は、前記開口枠に対する第３取付け部の端部から前記面外方向に延びる第３折り返し部と、その第３折り返し部の端部から前記面内方向に延びる第３見付け部と、その第３見付け部の端部から前記面外方向に延びる見込み部と、その見込み部の端部から前記面内方向に延びる第４見付け部と、その第４見付け部の端部から前記面外方向に延びる第４折り返し部と、その第４折り返し部の端部から前記面内方向に延びる終端見付け部とを有する前記面外方向に幅の広い第３分割部材と、
前記終端見付け部に重複して前記面内方向に延びる第４取付け部を有する前記面外方向に幅の狭い第４分割部材とに分割されている請求項１〜３のいずれか１項に記載の建具枠の取付け構造。
【発明の詳細な説明】
【技術分野】
【０００１】
本発明は、建物の壁部の開口部を形成する開口枠に取付けられる建具枠の取付け構造に関する。
【背景技術】
【０００２】
このような建具枠の取付け構造としては、従来、開口枠の前方外面部に当接する前面側取付け片を一体的に有する枠本体と、開口枠の後方外面部に当接する後面側取付け片とを備え、枠本体と後面側取付け片とが、上下方向に沿う軸を中心として互いに相対回動自在な蝶番により連結された構成のものが知られている（例えば、特許文献１参照）。
この取付け構造では、枠本体の前面側取付け片を開口枠における壁部の面内方向に沿う一方の外面部に接合し、蝶番により枠本体に対して後面側取付け片を回動させて、後面側取付け片を開口枠における壁部の面内方向に沿う他方の外面部に接合している。
【先行技術文献】
【特許文献】
【０００３】
【特許文献１】特許第３２６２９４２号公報
【発明の概要】
【発明が解決しようとする課題】
【０００４】
しかしながら、上記特許文献に記載の従来技術では、前面側取付け片を有する枠本体と後面側取付け片とが、上下方向に沿う軸を中心として互いに相対回動自在な蝶番により連結されているので、たとえ前面側取付け片と後面側取付け片を開口枠に接合しても、前面側取付け片と後面側取付け片が相対的に回動可能な状態のままとなる。
したがって、枠本体と後面側取付け片との位置関係が確定し難く、壁部の面外方向における建具枠の位置決めが必ずしも確実とはいえない問題がある。
更に、枠本体と後面側取付け片とを連結するのに蝶番を必要とするため、コスト的に不利で、例えば、大規模な商業施設の施工であれば、建具枠の取付け数も多くなり、かなりのコスト高となる。
【０００５】
本発明は、このような従来の問題点に着目したもので、その目的は、建具枠を開口枠に対して確実に位置決めして取付けることができ、コスト的にも有利な建具枠の取付け構造を提供することにある。
【課題を解決するための手段】
【０００６】
本発明の第１特徴構成は、建物の壁部の開口部を形成する開口枠に取付けられる建具枠の取付け構造であって、
前記建具枠は、前記壁部の面外方向に分割された２つの分割部材を備え、
それら２つの分割部材は、前記開口枠における前記壁部の面内方向に沿う外面部に夫々接合され、かつ、前記分割部材どうしを互いに接合することで、前記２つの分割部材が前記開口枠を前記面外方向から挟み込む状態で取付けられる点にある。
【０００７】
上記構成によれば、壁部の面外方向に分割された２つの分割部材は、開口枠における壁部の面内方向に沿う外面部に夫々接合される。そして、その２つの分割部材どうしが互いに接合されて、開口枠を壁部の面外方向から挟み込む状態で取付けられるので、２つの分割部材は、相対回動や相対移動が阻止された状態で開口枠を挟み込むことになる。
したがって、２つの分割部材からなる建具枠は、開口枠を壁部の面外方向から挟みつけて開口枠に対して確実に位置決めされて取付けられるので、その開口枠を利用して、面外方向での建具枠の位置決めを簡易に行うことができ、施工性の向上を図るとともに、２つの分割部材どうしは、例えば、溶接やビスにより接合するだけですむので、コストの面でも有利となる。
【０００８】
本発明の第２特徴構成は、前記２つの分割部材は、前記開口枠の外面部に対して夫々固定具により固定されて接合され、前記分割部材どうしも固定具により固定されて接合される点にある。
【０００９】
上記構成によれば、２つの分割部材の開口枠への接合および両分割部材どうしの接合が、ビスなどの固定具による固定によって行われるので、例えば、溶接による接合の場合に比べて、火気などに注意を払う必要もなく、また、比較的簡単な工具により確実に固定することが可能で施工性も大幅に向上する。
【００１０】
本発明の第３特徴構成は、前記２つの分割部材は、前記面外方向に幅の広い分割部材と幅の狭い分割部材からなり、幅の広い分割部材に前記面外方向に延びる補強材が備えられ、その補強材と幅の広い分割部材との重複部分において前記２つの分割部材が固定具により固定されて接合される点にある。
【００１１】
上記構成によれば、２つの分割部材のうち、面外方向に幅の広い分割部材に面外方向に延びる補強材が備えられているので、幅の狭い分割部材に比べて強度的に問題のある幅の広い分割部材が補強材により補強されて強度上での問題が解消される。
そして、その補強材と幅の広い分割部材との重複部分において２つの分割部材が固定具により固定されて接合されるので、両分割部材の固定による接合が、重複部分の厚みを生かして強固で確実なものとなり、その結果、両分割部材による開口枠の挟みつけがより強固となって開口枠に対する位置決めがより一層確実となる。
【００１２】
本発明の第４特徴構成は、前記建具枠は、前記開口枠に対する第１取付け部の端部から前記面外方向に延びる第１折り返し部と、その第１折り返し部の端部から前記面内方向に延びる第１見付け部と、その第１見付け部の端部から前記面外方向に延びる第１見込み部とを有する前記面外方向に幅の広い第１分割部材と、前記第１見込み部に重複して前記面外方向に延びる第２見込み部と、その第２見込み部の端部から前記面内方向に延びる第２見付け部と、その第２見付け部の端部から前記面外方向に延びて、その端部に前記開口枠に対する第２取付け部を備えた第２折り返し部とを有する前記面外方向に幅の狭い第２分割部材とに分割されている点にある。
【００１３】
上記構成によれば、開口枠の形状に対応した状態で、建具枠を幅の広い第１分割部材と幅の狭い第２分割部材とに比較的同幅に近い状態で合理的に分割することができ、その結果、両分割部材による開口枠の挟みつけも確実となる。
【００１４】
本発明の第５特徴構成は、前記建具枠は、前記開口枠に対する第３取付け部の端部から前記面外方向に延びる第３折り返し部と、その第３折り返し部の端部から前記面内方向に延びる第３見付け部と、その第３見付け部の端部から前記面外方向に延びる見込み部と、その見込み部の端部から前記面内方向に延びる第４見付け部と、その第４見付け部の端部から前記面外方向に延びる第４折り返し部と、その第４折り返し部の端部から前記面内方向に延びる終端見付け部とを有する前記面外方向に幅の広い第３分割部材と、前記終端見付け部に重複して前記面内方向に延びる第４取付け部を有する前記面外方向に幅の狭い第４分割部材とに分割されている点にある。
【００１５】
上記特徴構成によれば、開口枠の形状に対応した状態で、建具枠を幅の広い第３分割部材と幅の狭い第４分割部材とに合理的に分割することができるとともに、第４分割部材に関しては、必要最小限度にまで形状の簡素化を図ることができる。
【図面の簡単な説明】
【００１６】
【図１】第１実施形態による建具枠の取付け構造を示す横断平面図と一部詳細図
【図２】第２実施形態による建具枠の取付け構造を示す横断平面図と一部詳細図
【図３】建具枠の取付け構造全体の概略を示す斜視図
【発明を実施するための形態】
【００１７】
本発明による建具枠の取付け構造の実施形態を図面に基づいて説明する。
建具枠１は、図１（ａ）および図２（ａ）に示すように、扉Ｄや窓などの建具を保持するもので、建物の壁部Ｗの開口部Ｏを形成する開口枠Ｆを介して壁部Ｗに取付けられる。開口枠Ｆは、軽量型鋼材などからなり、図３に実線で示すように、正面視で門型に形成されて、建具枠１が、図３に仮想線で示すように、その門型の開口枠Ｆの内側に取付けられる。
すなわち、建具枠１は、図３に仮想線で示すように、正面視において、左側に位置する左建具枠部位Ａ、右側に位置する右建具枠部位Ｂ、および、左右の建具枠部位Ａ、Ｂの上端を連結する上建具枠部位Ｃにより全体が門型に形成されて開口枠Ｆの内側に取付けられる。
【００１８】
［第１実施形態］
図１（ａ）は、第１実施形態による建具枠１の取付け構造の横断平面図、図１（ｂ）は、図１（ａ）の左側（左建具枠部位Ａ）に位置する建具枠１の分解図である。なお、図１（ａ）の右側（右建具枠部位Ｂ）に位置する建具枠１の分解図は、左側のものと左右勝手違いがあるだけなので図示と説明を省略し、上建具枠部位Ｃに関しても同様に省略する。
第１実施形態による建具枠１は、図１に示すように、建物の壁部Ｗの面外方向Ｙに幅の広い第１分割部材２と幅の狭い第２分割部材３を備え、両分割部材２、３が、面外方向Ｙに分割されている。つまり、建具枠１は、図３に示すように、門型の第１分割部材２と第２分割部材３に分割されている。
【００１９】
第１分割部材２は、鋼板を折り曲げ加工して製作され、横断面視において、開口部Ｏを形成する開口枠Ｆに対して、その壁部Ｗの面内方向Ｘに沿う外面部に取付けるための第１取付け部４を備え、更に、その第１取付け部４の端部から面外方向Ｙに延びる第１折り返し部５と、その第１折り返し部５の端部から面内方向Ｘに延びる第１見付け部６と、その第１見付け部６の端部から面外方向Ｙに延びる第１見込み部７とを有し、第１見込み部７には、開口部Ｏ側へ膨出する膨出部８が設けられている。
この第１分割部材２は、その第１取付け部４が固定具としての第１ビス９により開口枠Ｆの外面部に固定されて接合される。
【００２０】
第２分割部材３も、鋼板を折り曲げ加工して製作され、横断面視において、第１分割部材２の第１見込み部７に対し開口部Ｏ側に重複して面外方向Ｙに延びる第２見込み部１０と、その第２見込み部１０の端部から面内方向Ｘに延びる第２見付け部１１と、その第２見付け部１１の端部から面外方向Ｙに延びて、その端部に第２取付け部１３を備えた第２折り返し部１２とを有する。
この第２折り返し部１２に連なる第２取付け部１３は、開口枠Ｆの面内方向Ｘに沿う外面部のうち、第１分割部材２の第１取付け部４を取付ける外面部とは反対側の外面部に第２分割部材３を取り付けるためのもので、固定具としての第２ビス１４により開口枠Ｆの外面部に固定されて接合される。
【００２１】
壁部Ｗの面外方向Ｙに幅の広い第１分割部材２には、その第１折り返し部５から第１見込み部７にわたって壁部Ｗの面外方向Ｙに延びる鋼板製の補強材１５が備えられ、その補強材１５の一端部が第１折り返し部５の開口部Ｏ側の面に重複して固着され、他端部が第１見込み部７の開口部Ｏと反対側の面に重複して固着されている。
そして、この補強材１５と第１分割部材２の第１見込み部７との重複部分において、補強材１５と反対側の面に第２分割部材３の第２見込み部１０が重複するように設定され、その重複部分において第１分割部材２と第２分割部材３が固定具としての連結ビス１６により固定されて接合される。
【００２２】
その際、補強材１５と第１分割部材２の第１見込み部７との重複部分に対して、第２分割部材３の第２見込み部１０を重複させるに当たり、第２見込み部１０の端部を第１分割部材２の膨出部８に当接させて、面外方向Ｙでの第１分割部材２と第２分割部材３との位置決めを確実に行える。
このようにして、第１分割部材２と第２分割部材３は、開口枠Ｆの外面部に対して第１ビス９と第２ビス１４により夫々各別に固定されて接合され、かつ、連結ビス１６により互いに固定されて接合される。それによって、第１分割部材２と第２分割部材３は、開口枠Ｆを面外方向Ｙから挟み込む状態で開口枠Ｆに取付けられる。
【００２３】
ちなみに、第１ビス９、第２ビス１４、および、連結ビス１６による接合箇所は、第１分割部材２および第２分割部材３の長手方向に沿って所定のピッチで備えられている。
補強材１５は、第１分割部材２および第２分割部材３の長手方向の全長に亘って一連に設けることも、また、第１ビス９、第２ビス１４、および、連結ビス１６による接合箇所に対応して、第１分割部材２および第２分割部材３の長手方向に沿って所定のピッチで複数配設することもできる。
【００２４】
［第２実施形態］
図２（ａ）は、第２実施形態による建具枠１の取付け構造の横断平面図、図２（ｂ）は、図２（ａ）の左側（左建具枠部位Ａ）に位置する建具枠１の分解図である。なお、図２（ａ）の右側（右建具枠部位Ｂ）に位置する建具枠１の分解図は、左側のものと左右勝手違いがあるだけなので図示と説明を省略し、上建具枠部位Ｃに関しても同様に省略する。
第２実施形態による建具枠１も、図２に示すように、壁部Ｗの面外方向Ｙに幅の広い第３分割部材１７と幅の狭い第４分割部材１８を備え、図３に示すように、その門型の第３分割部材１７と第４分割部材１８が、面外方向Ｙに分割されている。
【００２５】
第３分割部材１７は、鋼板を折り曲げ加工して製作され、横断面視において、開口枠Ｆに対して、その壁部Ｗの面内方向Ｘに沿う外面部に取付けるための第３取付け部１９を備え、その第３取付け部１９の端部から面外方向Ｙに延びる第３折り返し部２０と、その第３折り返し部２０の端部から面内方向Ｘに延びる第３見付け部２１と、その第３見付け部２１の端部から面外方向Ｙに延びる見込み部２２と、その見込み部２２の端部から面内方向Ｘに延びる第４見付け部２３と、その第４見付け部２３の端部から面外方向Ｙに延びる第４折り返し部２４と、その第４折り返し部２４の端部から面内方向Ｘに延びる終端見付け部２５とを有し、見込み部２２には、開口部Ｏ側へ膨出する膨出部２６が設けられている。
この第３分割部材１７は、その第３取付け部１９が固定具としての第３ビス２７により開口枠Ｆの外面部に固定されて接合される。
【００２６】
第４分割部材１８も鋼板製で、横断面視において、第３分割部材１７の終端見付け部２５の外側面に重複して面内方向Ｘに延びる第４取付け部２８を有する。
この第４取付け部２８は、開口枠Ｆの面内方向Ｘに沿う外面部のうち、第３分割部材１７の第３取付け部１９を取付ける外面部とは反対側の外面部に第４分割部材１８を取り付けるためのもので、固定具としての第４ビス２９により開口枠Ｆの外面部に固定されて接合される。
【００２７】
壁部Ｗの面外方向Ｙに幅の広い第３分割部材１７には、その第３折り返し部２０から第４折り返し部２４にわたって壁部Ｗの面外方向Ｙに延びる鋼板製の補強材３０が備えられ、その補強材３０の一端部が第３折り返し部２０の開口部Ｏ側の面に重複して固着され、他端部が第４折り返し部２４の開口部Ｏ側の面に重複して固着されている。
そして、第４分割部材１８の第４取付け部２８が、第３分割部材１７の終端見付け部２５に重複する部分において第３分割部材１７と第４分割部材１８が固定具としての連結ビス３１により固定されて接合される。
このようにして、第３分割部材１７と第２分割部材１８は、開口枠Ｆの外面部に対して第３ビス２７と第４ビス２９により夫々各別に固定されて接合され、かつ、連結ビス３１により互いに固定されて接合される。それによって、第３分割部材１７と第４分割部材１８は、開口枠Ｆを面外方向Ｙから挟み込む状態で開口枠Ｆに取付けられる。
【００２８】
〔別実施形態〕
（１）先の実施形態では、建具枠１が、門型の第１分割部材２と第２分割部材３に分割され、あるいは、門型の第３分割部材１７と第４分割部材１８に分割された例を示したが、各分割部材２、３、１７、１８が門型であると、取り扱いの面で難があり、現場への搬送や搬入に利便性を欠く可能性もある。
かかる問題を解消するため、図３を参照して、建具枠１を左建具枠部位Ａ、右建具枠部位Ｂ、上建具枠部位Ｃの３つの部位に分割し、各建具枠部位Ａ、Ｂ、Ｃにおける建具枠１を第１分割部材２と第２分割部材３に分割し、あるいは、第３分割部材１７と第４分割部材１８に分割することもできる。その場合には、各分割部材２、３、１７、１８がほぼ直線状の枠部材となるため、取り扱いが容易で、現場への搬送や搬入も容易となる。
【００２９】
（２）先の実施形態では、建具枠１を２つの分割部材に分割するに際し、壁部Ｗの面外方向Ｙに幅の広い第１および第３分割部材２、１７と幅の狭い第２および第４分割部材３、１８に分割した例を示したが、面外方向Ｙに同じ幅の分割部材に分割することもできる。
また、幅の広い第１および第３分割部材２、１７にのみ補強材１５、３０を設けた例を示したが、必要に応じて幅の狭い第２および第４分割部材３、１８に対しても補強材を設けることができ、場合によっては、第１および第３分割部材２、１７に設けていた補強材１５、３０をなくして実施することもできる。
そして、開口枠Ｆに対する各分割部材２、３、１７、１８の接合を固定具９、１４、２７、２９により行い、また、分割部材２、３、１７、１８どうしの接合も固定具１６、３１により行った例を示したが、例えば、固定具の代わりに溶接により接合することも可能である。
【符号の説明】
【００３０】
１        建具枠
２        第１分割部材
３        第２分割部材
４        第１取付け部
５        第１折り返し部
６        第１見付け部
７        第１見込み部
９、１４、１６  固定具
１０        第２見込み部
１１      第２見付け部
１２      第２折り返し部
１３      第２取付け部
１５      補強材
１７      第３分割部材
１８      第４分割部材
１９      第３取付け部
２０      第３折り返し部
２１      第３見付け部
２２      見込み部
２３      第４見付け部
２４      第４折り返し部
２５      終端見付け部
２７、２９、３１  固定具
２８      第４取付け部
Ｆ        開口枠
Ｏ        開口部
Ｗ        建物の壁部
Ｘ        壁部の面内方向
Ｙ        壁部の面外方向
【図１】
2017160622.tif 000003
【図２】
2017160622.tif 000004
【図３】
2017160622.tif 000005